(57)【特許請求の範囲】
【請求項１】
各種操作キーの表示の有無、表示内容、表示位置情報および表示条件をそれぞれ記憶する記憶部と、
貨幣の計数結果を表示するとともに、前記記憶部に記憶された前記各種操作キーの表示の有無、表示内容、表示位置情報および表示条件に基づいて前記各種操作キーの一部または全部を表示する操作表示部と、
前記各種操作キーの表示の有無を設定する設定部と、
前記各種操作キーのうち前記設定部により前記操作表示部に表示することの設定がなされた操作キーのみについて、前記記憶部に記憶された表示条件に基づいて、当該操作キーの前記表示位置情報を算出し、前記操作表示部に対して貨幣の計数結果を表示させるとともに表示することの設定がなされた操作キーをそれぞれ当該操作キーの前記表示位置情報に基づく表示位置および大きさで表示させる制御部と、
を備え、
前記操作表示部に表示されている操作キーが押下されたときに当該操作キーに対応する指令が前記制御部に送られるようになっていることを特徴とする貨幣処理装置。
【請求項２】
前記制御部は、前記各種操作キーのうち前記設定部により前記操作表示部に表示することの設定がなされた操作キーの数に基づいて、前記操作表示部における貨幣の計数結果を表示する領域の位置および／または大きさを変更するようになっていることを特徴とする請求項１記載の貨幣処理装置。
【請求項３】
前記制御部は、前記各種操作キーのうち前記設定部により前記操作表示部に表示することの設定がなされた操作キーの数が少なくなるに従って、前記操作表示部における当該操作キーの一部または全部をそれぞれ表示する領域を大きくするよう、当該操作キーの前記表示位置情報を算出することを特徴とする請求項１または２記載の貨幣処理装置。
【請求項４】
前記各種操作キーの表示条件は、当該各種操作キーの使用頻度、表示位置、大きさ、形状、色のうち少なくとも１つのものであることを特徴とする請求項１乃至３のいずれか一項に記載の貨幣処理装置。
【請求項５】
前記設定部は、前記各種操作キーの表示の有無に加えて、前記各種操作キーの表示条件を設定することができるようになっていることを特徴とする請求項１乃至４のいずれか一項に記載の貨幣処理装置。
【請求項６】
前記制御部は、前記記憶部に記憶された前記各種操作キーの表示条件により算出される前記各種操作キーの重み付けに基づいて、前記表示位置情報を算出することを特徴とする請求項１乃至５のいずれか一項に記載の貨幣処理装置。
【請求項７】
前記制御部は、前記記憶部に記憶された前記各種操作キーの表示条件により算出される前記各種操作キーの優先順位に基づいて、前記表示位置情報を算出することを特徴とする請求項１乃至５のいずれか一項に記載の貨幣処理装置。
【請求項８】
前記記憶部には、前記操作表示部で表示されるべき操作キーの数に対応して複数の配置パターンが予め記憶されており、
前記制御部は、前記各種操作キーのうち前記設定部により前記操作表示部に表示することの設定がなされた操作キーのみについて、この操作キーの数に対応する前記記憶部に記憶された配置パターンおよび前記記憶部に記憶された表示条件に基づいて、当該操作キーの前記表示位置情報を算出することを特徴とする請求項１乃至７のいずれか一項に記載の貨幣処理装置。
【請求項９】
種類の異なる貨幣処理装置に対して同一の操作表示部が用いられるようになっており、
前記記憶部には、各々の種類の貨幣処理装置において各種操作キーが用いられるか否かが操作キー毎に記憶されており、
前記制御部は、前記各種操作キーのうち前記記憶部において貨幣処理装置の種類に対応して用いられるよう記憶されているとともに前記設定部により前記操作表示部に表示することの設定がなされた操作キーのみについて、前記記憶部に記憶された表示条件に基づいて、当該操作キーの前記表示位置情報を算出することを特徴とする請求項１乃至８のいずれか一項に記載の貨幣処理装置。
【請求項１０】
前記各種操作キーの表示内容はアイコンであり、前記各種操作キーの表示位置情報は前記操作表示部における前記アイコンの始点および終点の座標であることを特徴とする請求項１乃至９のいずれか一項に記載の貨幣処理装置。
【請求項１１】
前記操作表示部はタッチパネルであることを特徴とする請求項１乃至１０のいずれか一項に記載の貨幣処理装置。
【請求項１２】
各種操作キーの表示の有無、表示内容、表示位置情報および表示条件をそれぞれ記憶部に予め記憶させておく工程と、
貨幣処理装置の操作表示部に表示されるべき各種操作キーについて、前記各種操作キーの表示の有無を変更する工程と、
前記各種操作キーのうち表示することの設定がなされた操作キーのみについて、前記記憶部に記憶された表示条件に基づいて、当該操作キーの表示位置情報を算出する工程と、
前記操作表示部において、前記貨幣処理装置における貨幣の計数結果を表示するとともに、表示することの設定がなされた操作キーをそれぞれ当該操作キーの前記表示位置情報に基づく表示位置および大きさで表示する工程と、
を備え、
前記操作表示部に表示されている操作キーが押下されたときに当該操作キーに対応する指令が前記貨幣処理装置の制御部に送られるようになっていることを特徴とする貨幣処理方法。
【発明の詳細な説明】
【技術分野】
【０００１】
本発明は、タッチパネル等の操作表示部を備えた貨幣処理装置および貨幣処理方法に関し、とりわけ、操作表示部の操作性を向上させることができる貨幣処理装置および貨幣処理方法に関する。
【背景技術】
【０００２】
従来から、貨幣の処理を行う貨幣処理装置において、貨幣の計数結果を表示するとともに、スタートキー、ストップキー、確定キー、取消キー、テンキー等の各種操作キーを表示するようなタッチパネルが筐体の外面に設置されたものが知られている。そして、操作者がタッチパネルに表示された各種操作キーのうちある操作キーを押下すると、この操作キーに対応する指令が貨幣処理装置の制御部に送られるようになっている。このような貨幣処理装置として、例えば特許文献１等に示すものが知られている。また、特許文献２には、各種操作キーを表示するタッチパネルが設けられた、家電製品のリモコン装置が開示されている。
【先行技術文献】
【特許文献】
【０００３】
【特許文献１】米国特許第５９１２９８２号（ＵＳ００５９１２９８２Ａ）
【特許文献２】特開２００５−３５４１４３号公報
【発明の概要】
【発明が解決しようとする課題】
【０００４】
リモコン装置等に設けられるタッチパネルとして、従来から、初期状態において各種操作キーが全て表示されるとともに、操作者がタッチパネルにおける各種操作キーの表示の有無を設定することができるようなものが知られている。このようなタッチパネルにおいては、各種操作キーについてそれぞれ表示位置および大きさが予め設定されており、この設定された表示位置に各種操作キーが設定された大きさで表示されるようになっている。そして、操作者により各種操作キーの表示の有無の設定が行われると、各種操作キーのうち表示することが設定された操作キーのみがタッチパネルに表示され、表示しないことが設定された操作キーについてはタッチパネルに表示されなくなる。ここで、各種操作キーについてそれぞれ表示位置および大きさが予め設定されているので、表示しないことが設定された操作キーの表示領域はブランク状態（何も表示されていない状態）となる。
【０００５】
しかしながら、上述のようなタッチパネルにおいて、操作キーの数が多い場合には、各々の操作キーの大きさは操作キーの数に反比例して小さくなるため、操作者がタッチパネルに表示される操作キーを押下する際に誤って２つの操作キーを同時に押下してしまったり本来押下すべき操作キーの隣に配置された操作キーを誤って押下してしまったりするおそれがある。また、各種操作キーのうち表示することが設定された操作キーのみがタッチパネルに表示された際に、これらの操作キーの表示位置がタッチパネルにおける縁部や隅部に設定されている場合には、操作者が操作キーを押下しにくいという問題がある。
【０００６】
本発明は、このような点を考慮してなされたものであり、タッチパネル等の操作表示部に表示されるべき各種操作キーについてそれぞれ表示するか否かの設定を操作者が行うと、各種操作キーのうち表示することが設定された操作キーのみが操作表示部に表示され、しかも、この際に各種キーの表示位置および大きさを操作者にとって操作しやすいように変更することができるので、操作表示部の操作性を向上させることができる貨幣処理装置および貨幣処理方法を提供することを目的とする。
【課題を解決するための手段】
【０００７】
本発明の貨幣処理装置は、各種操作キーの表示の有無、表示内容、表示位置情報および表示条件をそれぞれ記憶する記憶部と、貨幣の計数結果を表示するとともに、前記記憶部に記憶された前記各種操作キーの表示の有無、表示内容、表示位置情報および表示条件に基づいて前記各種操作キーの一部または全部を表示する操作表示部と、前記各種操作キーの表示の有無を設定する設定部と、前記各種操作キーのうち前記設定部により前記操作表示部に表示することの設定がなされた操作キーのみについて、前記記憶部に記憶された表示条件に基づいて、当該操作キーの前記表示位置情報を算出し、前記操作表示部に対して貨幣の計数結果を表示させるとともに表示することの設定がなされた操作キーをそれぞれ当該操作キーの前記表示位置情報に基づく表示位置および大きさで表示させる制御部と、を備え、前記操作表示部に表示されている操作キーが押下されたときに当該操作キーに対応する指令が前記制御部に送られるようになっていることを特徴とする。
【０００８】
このような貨幣処理装置によれば、操作表示部は、貨幣の計数結果を表示するとともに、記憶部に記憶された各種操作キーの表示の有無、表示内容、表示位置情報および表示条件に基づいて各種操作キーの一部または全部を表示するようになっている。また、設定部により、各種操作キーの表示の有無が設定され、各種操作キーのうち設定部により操作表示部に表示することの設定がなされた操作キーのみについて、記憶部に記憶された表示条件に基づいて、当該操作キーの表示位置情報を算出し、操作表示部に対して貨幣の計数結果を表示させるとともに表示することの設定がなされた操作キーをそれぞれ当該操作キーの表示位置情報に基づく表示位置および大きさで表示させるようになっている。このことにより、操作表示部に表示されるべき各種操作キーについてそれぞれ表示するか否かの設定を操作者が行うと、各種操作キーのうち表示することが設定された操作キーのみが操作表示部に表示され、しかも、この際に各種キーの表示位置および大きさを操作者にとって操作しやすいように変更することができるので、操作表示部の操作性を向上させることができる。
【０００９】
本発明の貨幣処理装置においては、前記制御部は、前記各種操作キーのうち前記設定部により前記操作表示部に表示することの設定がなされた操作キーの数に基づいて、前記操作表示部における貨幣の計数結果を表示する領域の位置および／または大きさを変更するようになっていてもよい。
【００１０】
本発明の貨幣処理装置においては、前記制御部は、前記各種操作キーのうち前記設定部により前記操作表示部に表示することの設定がなされた操作キーの数が少なくなるに従って、前記操作表示部における当該操作キーの一部または全部をそれぞれ表示する領域を大きくするよう、当該操作キーの前記表示位置情報を算出するようになっていてもよい。
【００１１】
ここで、前記各種操作キーの表示条件は、当該各種操作キーの使用頻度、表示位置、大きさ、形状、色のうち少なくとも１つのものであってもよい。
【００１２】
前記設定部は、前記各種操作キーの表示の有無に加えて、前記各種操作キーの表示条件を設定することができるようになっていてもよい。
【００１３】
前記制御部は、前記記憶部に記憶された前記各種操作キーの表示条件により算出される前記各種操作キーの重み付けに基づいて、前記表示位置情報を算出するようになっていてもよい。
【００１４】
あるいは、前記制御部は、前記記憶部に記憶された前記各種操作キーの表示条件により算出される前記各種操作キーの優先順位に基づいて、前記表示位置情報を算出するようになっていてもよい。
【００１５】
あるいは、前記記憶部には、前記操作表示部で表示されるべき操作キーの数に対応して複数の配置パターンが予め記憶されており、前記制御部は、前記各種操作キーのうち前記設定部により前記操作表示部に表示することの設定がなされた操作キーのみについて、この操作キーの数に対応する前記記憶部に記憶された配置パターンおよび前記記憶部に記憶された表示条件に基づいて、当該操作キーの前記表示位置情報を算出するようになっていてもよい。
【００１６】
本発明の貨幣処理装置においては、種類の異なる貨幣処理装置に対して同一の操作表示部が用いられるようになっており、前記記憶部には、各々の種類の貨幣処理装置において各種操作キーが用いられるか否かが操作キー毎に記憶されており、前記制御部は、前記各種操作キーのうち前記記憶部において貨幣処理装置の種類に対応して用いられるよう記憶されているとともに前記設定部により前記操作表示部に表示することの設定がなされた操作キーのみについて、前記記憶部に記憶された表示条件に基づいて、当該操作キーの前記表示位置情報を算出するようになっていてもよい。
【００１７】
本発明の貨幣処理装置においては、前記各種操作キーの表示内容はアイコンであり、前記各種操作キーの表示位置情報は前記操作表示部における前記アイコンの始点および終点の座標であってもよい。
【００１８】
また、前記操作表示部はタッチパネルであってもよい。
【００１９】
本発明の貨幣処理方法は、各種操作キーの表示の有無、表示内容、表示位置情報および表示条件をそれぞれ記憶部に予め記憶させておく工程と、貨幣処理装置の操作表示部に表示されるべき各種操作キーについて、前記各種操作キーの表示の有無を変更する工程と、前記各種操作キーのうち表示することの設定がなされた操作キーのみについて、前記記憶部に記憶された表示条件に基づいて、当該操作キーの表示位置情報を算出する工程と、前記操作表示部において、前記貨幣処理装置における貨幣の計数結果を表示するとともに、表示することの設定がなされた操作キーをそれぞれ当該操作キーの前記表示位置情報に基づく表示位置および大きさで表示する工程と、を備え、前記操作表示部に表示されている操作キーが押下されたときに当該操作キーに対応する指令が前記貨幣処理装置の制御部に送られるようになっていることを特徴とする。
【００２０】
このような貨幣処理方法によれば、操作表示部に表示されるべき各種操作キーについてそれぞれ表示するか否かの設定を操作者が行うと、各種操作キーのうち表示することが設定された操作キーのみが操作表示部に表示され、しかも、この際に各種キーの表示位置および大きさを操作者にとって操作しやすいように変更することができるので、操作表示部の操作性を向上させることができる。
【発明の効果】
【００２１】
本発明の貨幣処理装置および貨幣処理方法によれば、操作表示部の操作性を向上させることができる。
【図面の簡単な説明】
【００２２】
【図１】本発明の一の実施の形態による紙幣処理装置の構成を示す斜視図である。
【図２】図１に示す紙幣処理装置の制御ブロック図である。
【図３】図１等に示す紙幣処理装置において、操作表示部における各種操作キーの表示レイアウトを変更するときの動作を示すフローチャートである。
【図４】図１等に示す紙幣処理装置の操作表示部における表示内容を示す図である。
【図５】図１等に示す紙幣処理装置の操作表示部における表示内容を示す図であって、操作表示部に各種操作キーの設定画面を表示させたときの図である。
【図６】図１等に示す紙幣処理装置の操作表示部における表示内容を示す図であって、操作キーの設定モードにおいて各種操作キーの表示の有無が設定されたときの図である。
【図７】図１等に示す紙幣処理装置の操作表示部における表示内容を示す図であって、図６に示すような各種操作キーの表示の有無の設定を行った後の操作表示部における表示内容を示す図である。
【図８】図１等に示す紙幣処理装置の操作表示部における表示内容を示す図であって、操作キーの設定モードにおいて各種操作キーの表示の有無が設定されたときの図である。
【図９】図１等に示す紙幣処理装置の操作表示部における表示内容を示す図であって、図８に示すような各種操作キーの表示の有無の設定を行った後の操作表示部における表示内容を示す図である。
【図１０】各々の操作キーの表示条件および表示の有無を示す表である。
【図１１】操作表示部に表示される操作キーの配置パターンを操作キーの数毎に示す図である。
【図１２】操作表示部における紙幣の計数結果を表示する領域の位置および／または大きさが変更されたときの、操作表示部における表示内容を示す図である。
【図１３】複数の種類の紙幣処理装置が用いられる際に、各々の紙幣処理装置でどの操作キーが用いられるかを示す表である。
【図１４】本発明による紙幣処理装置の他の構成を示す斜視図である。
【図１５】本発明による紙幣処理装置の更に他の構成を示す斜視図である。
【発明を実施するための形態】
【００２３】
以下、図面を参照して本発明の一の実施の形態について説明する。図１乃至図１２は、本実施の形態に係る紙幣処理装置を示す図である。このうち、図１は、本実施の形態による紙幣処理装置の構成を示す斜視図であり、図２は、図１に示す紙幣処理装置の制御ブロック図である。また、図３は、図１等に示す紙幣処理装置において、操作表示部における各種操作キーの表示レイアウトを変更するときの動作を示すフローチャートである。また、図４乃至図９は、図１等に示す紙幣処理装置の操作表示部における表示内容を示す図である。また、図１０は、各々の操作キーの表示条件および表示の有無を示す表であり、図１１は、操作表示部に表示される操作キーの配置パターンを操作キーの数毎に示す図である。また、図１２は、操作表示部における紙幣の計数結果を表示する領域の位置および／または大きさが変更されたときの、操作表示部における表示内容を示す図である。
【００２４】
まず、図１および図２を用いて、本実施の形態の紙幣処理装置の構成について説明する。図１等に示す紙幣処理装置は、概して、外部から紙幣を１枚ずつ筐体の内部に取り込み、この取り込まれた紙幣について識別および計数を行い、その後金種別に各集積部に集積させるものである。
【００２５】
より詳しく説明すると、紙幣処理装置１０は、筐体１２と、この筐体１２の内部に紙幣を１枚ずつ取り込むための紙幣取込部１４と、筐体１２の内部に設けられ、紙幣取込部１４により筐体１２の内部に取り込まれた紙幣の搬送を１枚ずつ行う搬送部２０と、を備えている。紙幣取込部１４は、操作者によって複数の紙幣が積層状態で集積されるホッパと、ホッパに集積された紙幣を筐体１２の内部に１枚ずつ繰り出す繰出機構とを有している。また、筐体１２の内部において、搬送部２０には識別部２２が設けられており、この識別部２２によって、搬送部２０で搬送される紙幣の金種、真偽、正損等の識別が行われるとともに紙幣の計数が行われるようになっている。また、紙幣処理装置１０は、複数（例えば４つ）の集積部１６ａ〜１６ｄと、複数（例えば２つ）のリジェクト部１８ａ、１８ｂとを備えている。ここで、紙幣取込部１４により筐体１２の内部に取り込まれた紙幣について、識別部２２により偽券であると識別された紙幣や識別部２２により識別することができなかった紙幣は、リジェクト紙幣として搬送部２０によりリジェクト部１８ａ、１８ｂに搬送される。一方、紙幣取込部１４により筐体１２の内部に取り込まれた紙幣について、識別部２２により真券であると識別された紙幣は、搬送部２０により集積部１６ａ〜１６ｄのうちいずれか一つの集積部に例えば金種別に搬送され、この集積部に集積される。集積部１６ａ〜１６ｄは筐体１２の外部に開口しており、操作者は集積部１６ａ〜１６ｄに集積された紙幣を筐体１２の外部に取り出すことができるようになっている。また、リジェクト部１８ａ、１８ｂも筐体１２の外部に開口しており、操作者はリジェクト部１８ａ、１８ｂに集積されたリジェクト紙幣を筐体１２の外部に取り出すことができるようになっている。
【００２６】
図１に示すように、筐体１２の前面には例えばタッチパネル等からなる操作表示部３０が設けられており、識別部２２による紙幣の計数結果がこの操作表示部３０に表示されるようになっている。具体的には、図４等に示すように、操作表示部３０には識別部２２により真券と識別された全紙幣の計数枚数が表示される。なお、操作表示部３０に、紙幣の金種別の計数枚数が表示されるようになっていてもよい。また、図４に示すように、操作表示部３０にはスタート／ストップ（ＳＴＡＲＴ／ＳＴＯＰ）キー、確定（ＡＣＣＥＰＴ）キー、取消（ＣＬＥＡＲ）キー、テンキー（０〜９）等の各種操作キーが表示されるようになっており、操作者が操作表示部３０に表示された各種操作キーを押下することにより、この操作キーに対応する指令が後述する制御部４０に送られるようになっている。
【００２７】
図２に示すように、紙幣処理装置１０には、当該紙幣処理装置１０の各構成要素の制御を行うための制御部４０が設けられている。この制御部４０は紙幣処理装置１０の筐体１２の内部に設けられている。制御部４０には、紙幣取込部１４、搬送部２０、識別部２２、操作表示部３０等がそれぞれ接続されている。そして、制御部４０に、識別部２２による紙幣の識別結果や計数結果に係る情報が送られるようになっている。また、前述のように、制御部４０に、操作者による様々な指令が操作表示部３０から送られるようになっている。また、制御部４０は、紙幣取込部１４、搬送部２０、操作表示部３０等に指令を送り、これらの構成要素の制御を行うようになっている。
【００２８】
また、図２に示すように、制御部４０には、設定部３２および記憶部３４が接続されている。記憶部３４には、識別部２２による紙幣の識別結果や計数結果が記憶されるようになっている。また、記憶部３４には、各種操作キーの表示の有無、表示内容、表示位置情報および表示条件がそれぞれ記憶されるようになっている。ここで、各種操作キーの表示の有無とは、操作表示部３０に各々の操作キーを表示するか否かの設定のことをいう。なお、このような表示の有無の設定は操作キー毎に行われる。また、各種操作キーの表示内容とは、各々の操作キーのアイコンのことをいう。より詳細には、各種操作キーの表示内容として、図４に示すように、「ＡＣＣＥＰＴ」等の文字のアイコンや、「３」等の数字のアイコンや、「←」等の記号のアイコンが用いられる。また、各種操作キーの表示位置情報とは、操作表示部３０におけるアイコンの始点および終点の座標のことをいう。より詳細には、操作表示部３０は横方向のＸ座標および縦軸方向のＹ座標からなる２次元の平面から構成されるものであり、アイコンの始点の座標および終点の座標として、それぞれＸ座標およびＹ座標が設定される。すなわち、あるアイコンの始点の座標が（２０（Ｘ座標）、４０（Ｙ座標））であり、このアイコンの終点の座標が（５０（Ｘ座標）、８０（Ｙ座標））であるときに、操作表示部３０においてＸ座標が２０〜５０、Ｙ座標が４０〜８０の範囲内の領域に、当該アイコンの内容（「ＡＣＣＥＰＴ」等の文字や「３」等の数字、等）が表示される。この際に、アイコンが表示されるべき領域が大きければ、アイコンの内容が大きく表示され、アイコンが表示されるべき領域が小さければ、アイコンの内容が小さく表示される。
【００２９】
また、各種操作キーの表示条件とは、各々の操作キーの使用頻度、表示位置、大きさ、形状、色のうち少なくとも１つのもののことをいう。このような各々の操作キーの表示条件について、図１０を用いて説明する。なお、図１０は、各々の操作キーの表示条件および表示の有無を示す表である。より詳細に説明すると、操作キーの使用頻度とは、操作者により押下される頻度を例えば５段階で評価したものであり、例えば頻繁に使用されるスタート／ストップキーは頻度が５となっており、あまり使用されることのないモード（ＭＯＤＥ）キーは頻度が１となっており、時々使用されるテンキー（０〜９）は頻度が３となっている。また、操作キーの表示位置とは、操作表示部３０に表示されるときの操作キーの大まかな位置、具体的には例えば「右上」「下」「中央」「中下」等のことをいう。また、操作キーの大きさとは、操作表示部３０に表示されるときの操作キーの大まかな大きさ、具体的には例えば「大」「中」「小」等のことをいう。また、操作キーの形状とは、操作表示部３０に表示されるときの操作キーの形状、具体的には例えば「長方形」「三角形」「円形」等のことをいう。また、操作キーの形状とは、操作表示部３０に表示されるときの操作キーの色、具体的には例えば「赤」「青」「黄」等のことをいう。
【００３０】
設定部３２は、各種操作キーの表示の有無を設定するようになっている。より具体的には、操作表示部３０において操作者により各種操作キーの表示の有無の設定が行われると、この各種操作キーの表示の有無の設定に係る指令が制御部４０に送られ、設定部３２は各種操作キーの表示の有無の設定を行う。そして、設定部３２により設定された各種操作キーの表示の有無に係る情報は記憶部３４に記憶される。図１０に示すように、このような各種操作キーの表示の有無の設定は、各々の操作キー毎に行われる。
【００３１】
制御部４０は、各種操作キーのうち設定部３２で表示することの設定がなされた操作キーのみについて（具体的には、図１０の「表示の有無」欄において「○」となっている操作キーのみについて）、記憶部３４で記憶された表示条件に基づいて、当該操作キーの表示位置情報を算出する。そして、制御部４０は、操作表示部３０に対して紙幣の計数結果を表示させるとともに、表示することの設定がなされた操作キーをそれぞれ当該操作キーの表示位置情報に基づく表示位置および大きさで操作表示部３０に表示させる。このような制御部４０による制御内容の詳細については後述する。
【００３２】
また、図２に示すように、制御部４０にはインターフェース３６が接続されている。そして、このインターフェース３６により、制御部４０は上位装置等の外部装置に対して信号の送受信を行うことができるようになっている。
【００３３】
次に、上述のような構成からなる紙幣処理装置１０の動作について説明する。以下に示す動作は制御部４０が紙幣処理装置１０の各構成要素を制御することにより行われる。
【００３４】
まず、紙幣処理装置１０自体の動作について簡単に説明する。操作者が紙幣処理装置１０の紙幣取込部１４のホッパに複数の紙幣を積層状態で載置する。そして、操作者が操作表示部３０におけるスタート／ストップ（ＳＴＡＲＴ／ＳＴＯＰ）キーを押下し、紙幣処理開始の指令を制御部４０に与えると、紙幣取込部１４の繰出機構はホッパに載置された紙幣を１枚ずつ筐体１２の内部に繰り出し、この繰り出された紙幣は搬送部２０により筐体１２の内部で搬送される。そして、搬送部２０により搬送される紙幣は識別部２２により識別および計数が行われる。筐体１２の内部に取り込まれた紙幣について、識別部２２により偽券であると識別された紙幣や識別部２２により識別することができなかった紙幣は、リジェクト紙幣として搬送部２０によりリジェクト部１８ａ、１８ｂに搬送される。一方、筐体１２の内部に取り込まれた紙幣について、識別部２２により真券であると識別された紙幣は、搬送部２０により集積部１６ａ〜１６ｄのうちいずれか一つの集積部に金種別に搬送され、この集積部に集積される。その後、操作者は、各集積部１６ａ〜１６ｄや各リジェクト部１８ａ、１８ｂに集積された紙幣を束状態で取り出す。また、識別部２２による紙幣の計数結果は操作表示部３０に表示される。なお、上述のような紙幣処理装置１０の通常操作モード時には、操作表示部３０には図４に示すような標準操作画面が表示される。
【００３５】
次に、本実施の形態の紙幣処理装置１０において、操作表示部３０における各種操作キーの表示レイアウトを変更するときの動作について説明する。図３は、操作表示部３０における各種操作キーの表示レイアウトを変更するときの動作を示すフローチャートである。また、図４乃至図９は、操作表示部３０における各種操作キーの表示レイアウトを変更する際の操作表示部における表示内容を示す図である。
【００３６】
前述のように、紙幣処理装置１０の通常操作モード時には、制御部４０は、操作表示部３０に標準操作画面を表示させる（図３のＳＴＥＰ１参照）。より具体的には、操作表示部３０には、識別部２２により計数された紙幣の計数結果が表示されるとともに、各種操作キーが表示される。図４は、制御部４０が操作表示部３０に標準操作画面を表示させたときの操作表示部３０における表示内容を示す。図４に示すように、操作表示部３０には、紙幣の計数枚数が合計１０００枚であるという表示がなされるとともに、様々な操作キーが表示されている。図４に示すような操作表示部３０の表示内容において、操作者が各種操作キーを押下すると、この操作キーに対応する指令が制御部４０に送られ、制御部４０は、操作者により入力された指令を実行するよう各構成要素を制御することとなる。
【００３７】
紙幣処理装置１０の通常操作モード時において、操作者によって操作表示部３０により各種操作キーの設定モードに入るような指令がなされた場合には（図３のＳＴＥＰ２の「ＹＥＳ」参照）、操作表示部３０における表示内容が図５に示すような設定画面に切り替わる（図３のＳＴＥＰ３参照）。各種操作キーの設定モードにおいて、設定画面には全ての操作キーが表示される。ここで、各々の操作キーについて、通常操作モード時に操作表示部３０に表示することの設定がなされている操作キーと、表示しないことの設定がなされている操作キーとは異なる態様で表示されるようになっている。具体的には、設定画面において、通常操作モード時に操作表示部３０に表示することの設定がなされている操作キーは濃く表示され、表示しないことの設定がなされている操作キーは淡く表示されるようになっている。あるいは、通常操作モード時に操作表示部３０に表示することの設定がなされている操作キーと、表示しないことの設定がなされている操作キーとが異なる色で表示されるようになっていてもよい。図５、図６、図８に示すような操作表示部３０における各種操作キーの設定画面では、通常操作モード時に操作表示部３０に表示することの設定がなされている操作キーを実線で表示し、表示しないことの設定がなされている操作キーを点線で表示している。
【００３８】
各種操作キーの設定モードにおいて、操作者が操作表示部３０における設定画面に表示される各種操作キーのうちある操作キーを押下すると（図３のＳＴＥＰ４の「ＹＥＳ」参照）、設定部３２において、この押下された操作キーの表示の有無が変更される（図３のＳＴＥＰ５参照）。すなわち、例えばシフト（ＳＨＩＦＴ）キーについて、通常操作モード時に操作表示部３０に表示することの設定がなされている場合に、操作者が操作表示部３０における設定画面でシフトキーを押下すると、設定部３２において、このシフトキーは通常操作モード時に操作表示部３０に表示しないことの設定に変更される。この際に、操作表示部３０における設定画面にて、シフトキーは実線から点線に変更される。一方、このシフトキーについて、通常操作モード時に操作表示部３０に表示しないことの設定がなされている場合に、操作者が操作表示部３０における設定画面でシフトキーを押下すると、設定部３２において、このシフトキーは通常操作モード時に操作表示部３０に表示することの設定に戻される。この際に、操作表示部３０における設定画面にて、シフトキーは点線から実線に変更される。このようにして、各々の操作キーについて、通常操作モード時に操作表示部３０に表示するか否かの設定を操作者が操作表示部３０で行うと、設定部３２により各種操作キーの表示の有無が設定される（図１０の「表示の有無」欄参照）。
【００３９】
そして、設定モードにおける各種操作キーの表示の有無の設定が終了すると（図３のＳＴＥＰ６の「ＹＥＳ」参照）、この設定モードが終了し（図３のＳＴＥＰ７参照）、制御部４０は、操作表示部３０に標準操作画面を表示させる（図３のＳＴＥＰ８参照）。この際に、制御部４０は、各種操作キーのうち設定部３２により操作表示部３０に表示することの設定がなされた操作キーのみについて、記憶部３４に記憶された表示条件に基づいて、操作キーの表示位置情報（すなわち、操作キーのアイコンの始点および終点の座標）を算出する。そして、制御部４０は、表示することの設定がなされた操作キーを、それぞれ当該操作キーの表示位置情報に基づく表示位置および大きさで表示させる。この際に、制御部４０は、各種操作キーのうち設定部３２により操作表示部３０に表示することの設定がなされた操作キーの数が少なくなるに従って、操作表示部３０における当該操作キーの一部または全部をそれぞれ表示する領域を大きくするよう、当該操作キーの表示位置情報を算出する。
【００４０】
上述のような制御部４０による制御について、図６乃至図９を用いてより詳細に説明する。各種操作キーの設定モードにおいて、図６に示すように、合計２８個の操作キーを表示させ、合計８個の操作キーを表示させないような各種操作キーの表示の有無の設定を行った場合には、各種操作キーの設定モードを終了し操作表示部３０に標準操作画面を表示させたときに、操作表示部３０には各種操作キーが図７に示すように表示される。より詳細には、各種操作キーの設定モードにおいて通常操作モード時に操作表示部３０に表示することの設定がなされた操作キーのうち、バッチ（ＢＡＴＣＨ）キー、スタート／ストップ（ＳＴＡＲＴ／ＳＴＯＰ）キー、確定（ＡＣＣＥＰＴ）キーがそれぞれ変更前に比べて約２倍の大きさとなる。また、通常操作モード時に操作表示部３０に表示することの設定がなされた操作キーのうち、４つの矢印キーは、それぞれ形状が長方形から三角形に変更されるとともに各矢印キーの内容に沿った位置に配置されることとなる（具体的には、右方向を示す「→」キーは、４つの矢印キーのうち右側の位置に配置される）。また、各種操作キーのうち操作表示部３０に表示することの設定がなされた操作キーの数が少なくなると、設定変更後に操作表示部３０に標準操作画面を表示させたときに、各種操作キー間の間隔が大きくなるようになっていてもよい。
【００４１】
また、各種操作キーの設定モードにおいて、図８に示すように、合計１３個の操作キーを表示させ、合計２３個の操作キーを表示させないような各種操作キーの表示の有無の設定を行った場合には、各種操作キーの設定モードを終了し操作表示部３０に標準操作画面を表示させたときに、操作表示部３０には各種操作キーが図９に示すように表示される。より詳細には、各種操作キーの設定モードにおいて通常操作モード時に操作表示部３０に表示することの設定がなされた操作キーのうち、確定（ＡＣＣＥＰＴ）キー、スタート／ストップ（ＳＴＡＲＴ／ＳＴＯＰ）キー、シフト（ＳＨＩＦＴ）キー、モード（ＭＯＤＥ）キー、合計（ＴＯＴＡＬ）キーがそれぞれ変更前に比べて大きくなる。また、通常操作モード時に操作表示部３０に表示することの設定がなされた操作キーのうち、４つの矢印キーは、それぞれ形状が長方形から三角形に変更されるとともに各矢印キーの内容に沿った位置に配置されることとなる。さらに、図７に示すような場合と比較して、各矢印キーはより大きくなる。また、図９に示すような操作表示部３０の標準操作画面においては、各種操作キー間に十分な大きさの間隔が得られるようになる。
【００４２】
ここで、各種操作キーの設定モードにおいて操作表示部３０に表示することの設定がなされた操作キーのうち、どの操作キーの大きさを変更するか、またはどの操作キーの形状や色を変更するか、あるいはどの操作キーの表示位置を変更するか、等については、記憶部３４に記憶された各種操作キーの表示条件、すなわち各種操作キーの使用頻度、表示位置、大きさ、形状、色等に基づいて決められるようになっている。すなわち、確定（ＡＣＣＥＰＴ）キーやスタート／ストップ（ＳＴＡＲＴ／ＳＴＯＰ）キーは、記憶部３４に記憶されたこれらのキーの使用頻度が他のキーよりも比較的大きいので、操作表示部３０に表示することの設定がなされた操作キーの数が少なくなると優先的にその大きさが大きくなったり、操作表示部３０における中央の位置に配置されたりする。また、矢印キーは、記憶部３４に記憶された形状や表示位置が特殊なものとなっており、操作表示部３０に表示することの設定がなされた操作キーの数が少なくなると図７や図９に示すように優先的にその形状や表示位置が変更される。一方、ディスプレイ（ＤＩＳＰＬＡＹ）キー等は、記憶部３４に記憶されたこれらのキーの使用頻度が他のキーよりも比較的小さいので、操作表示部３０に表示することの設定がなされた操作キーの数が少なくなっても大きくならなかったり、操作表示部３０における縁部や隅部近傍に配置されたりする。このように、図１０に示すように各々の操作キーの表示条件が設定されている場合でも、一部の操作キーについてはこの表示条件が実際の操作表示部３０における表示に反映されない場合がある。
【００４３】
ここで、制御部４０は、記憶部３４に記憶された各種操作キーの表示条件により算出される各種操作キーの重み付けに基づいて、表示位置情報を算出するようになっていてもよい。すなわち、設定部３２により操作表示部３０に表示することの設定がなされた操作キーについて、それぞれ、記憶部３４に記憶された、当該操作キーの使用頻度、表示位置、大きさ、形状、色等に基づいて操作キー毎に評価値を算出する（図１０参照）。さらに具体的に説明すると、操作キーの使用頻度については、この使用頻度の大きさがそのまま評価値とされ、操作キーの表示位置については、例えば「中央」が５、「中下」「中右」等が３、「右上」「右下」等が１の評価値とされ、操作キーの大きさについては、例えば「大」が５、「中」が３、「小」が１の評価値とされ、操作キーの形状については、例えば「円形」や「三角形」が３、「長方形」が１の評価値とされ、操作キーの色については、例えば「赤」が５、「青」が３、「黄」が１の評価値とされる。そして、操作キーの評価値は、この操作キーの使用頻度、表示位置、大きさ、形状、色等の各々の評価値の合計値とされる。制御部４０は、各種操作キーの重み付け、すなわち評価値に基づいて、各々の操作キーについて、評価値が大きければ大きいほど、優先的にその大きさを大きくしたり、操作表示部３０における中央の位置に優先的に配置したり、優先的にその形状や色を変更したりする。一方、制御部４０は、各々の操作キーについて、評価値が小さければ小さいほど、そのサイズは大きくならなかったり、操作表示部３０における縁部や隅部近傍の位置に配置したり、その形状や色等が変化しなかったりする。このように、評価値の低い操作キーについては、この操作キーの表示条件が実際の操作表示部３０における表示に反映されない場合がある。
【００４４】
また、制御部４０は、記憶部３４に記憶された各種操作キーの表示条件により算出される各種操作キーの優先順位に基づいて、表示位置情報を算出するようになっていてもよい。より具体的に説明すると、設定部３２により操作表示部３０に表示することの設定がなされた操作キーについて、それぞれ、記憶部３４に記憶された、当該操作キーの使用頻度、表示位置、大きさ、形状、色等に基づいて評価値を算出し、各々の操作キーの評価値に基づいて、制御部４０は各種操作キーの優先順位を設定する。すなわち、各々の操作キーについて、評価値が大きい順に優先順位を設定する。そして、制御部４０は、各種操作キーの優先順に基づいて、各々の操作キーについて、優先順位が先であればあるほど、優先的にその大きさを大きくしたり、操作表示部３０における中央の位置に優先的に配置したり、優先的にその形状や色を変更したりする。一方、制御部４０は、各々の操作キーについて、優先順位が後であればあるほど、そのサイズは大きくならなかったり、操作表示部３０における縁部や隅部近傍の位置に配置したり、その形状や色等が変化しなかったりする。
【００４５】
なお、各種操作キーの設定モードにおいて、各種操作キーの表示の有無に加えて、各種操作キーの表示条件を設定することができるようになっていてもよい。このような各種操作キーの表示条件の設定は、各種操作キーの表示の有無の設定と同様に、設定部３２により行われる。より具体的には、各々の操作キーの使用頻度、表示位置、大きさ、形状、色等の表示条件について、操作者が操作表示部３０により変更することができるようになっている。一例として、図５に示すような各種操作キーの設定モードにおいて、操作表示部３０に表示される各々の操作キーを操作者が押下するたびに、この操作キーの色が赤、青、黄、グレーの順に変更されるようになっており、操作キーの色がグレーのときに操作者がこの操作キーを押下すると操作キーの色が赤に戻るようになっていてもよい。この場合、操作キーの色が赤、青、黄の場合には、この操作キーは通常操作モード時に操作表示部３０に表示することの設定がなされた操作キーとみなされ、操作キーの色がグレーの場合には、この操作キーは通常操作モード時に操作表示部３０に表示しないことの設定がなされた操作キーとみなされる。また、この場合、操作キーの色が赤、青、黄となると、この操作キーの使用頻度がそれぞれ５、３、１であると自動的に設定されたり、あるいは操作キーの大きさが大、中、小であると自動的に設定されたりするようになっていてもよい。操作者が操作キーの表示条件を変更すると、この操作キーの評価値が変わることにより、各種操作キーの表示位置情報が変更される場合もある。
【００４６】
また、表示位置情報を算出する更に他の方法としては、記憶部３４に、操作表示部３０で表示されるべき操作キーの数に対応して複数の配置パターンが予め記憶されており、制御部４０は、各種操作キーのうち設定部３２により操作表示部３０に表示することの設定がなされた操作キーのみについて、この操作キーの数に対応する記憶部３４に記憶された配置パターンおよび記憶部３４に記憶された表示条件に基づいて、当該操作キーの表示位置情報を算出するようになっていてもよい。より具体的には、図１１に示すように、設定部３２により操作表示部３０に表示することの設定がなされた操作キーの数に対応して、操作キーの配置パターンが設定されている。図１１における表示画面中の数字は、操作キーの優先順位を示す。すなわち、優先順位が１番目である操作キーは図１１における数字の「１」の箇所に配置され、優先順位が２番目である操作キーは図１１における数字の「２」の箇所に配置される。図１１では、操作キーの数が３個、５個および１０個の場合の操作キーの配置パターンを示しているが、当然のことながら、操作キーの数が３個、５個、１０個以外の場合の配置パターンも記憶部３４に記憶されている。そして、制御部４０により設定された、前述の各種操作キーの優先順位に基づいて、各々の操作キーの配置箇所が記憶部３４に記憶された配置パターンに合致するよう、各々の操作キーの表示位置情報が算出される。
【００４７】
以上のように本実施の形態の紙幣処理装置１０によれば、操作表示部３０は、紙幣の計数結果を表示するとともに、記憶部３４に記憶された各種操作キーの表示の有無、表示内容、表示位置情報および表示条件に基づいて各種操作キーの一部または全部を表示するようになっている。また、設定部３２により、各種操作キーの表示の有無が設定され、各種操作キーのうち設定部３２により操作表示部３０に表示することの設定がなされた操作キーのみについて、記憶部３４に記憶された表示条件に基づいて、当該操作キーの表示位置情報を算出し、操作表示部３０に対して紙幣の計数結果を表示させるとともに表示することの設定がなされた操作キーをそれぞれ当該操作キーの表示位置情報に基づく表示位置および大きさで表示させるようになっている。このことにより、操作表示部３０に表示されるべき各種操作キーについてそれぞれ表示するか否かの設定を操作者が行うと、各種操作キーのうち表示することが設定された操作キーのみが操作表示部３０に表示され、しかも、この際に各種キーの表示位置および大きさを操作者にとって操作しやすいように変更することができるので、操作表示部３０の操作性を向上させることができる。
【００４８】
本実施の形態の紙幣処理装置１０においては、各種操作キーの表示条件は、当該各種操作キーの使用頻度、表示位置、大きさ、形状、色のうち少なくとも１つのものとなっている（図１０参照）。ここで、前述のように、設定部３２は、各種操作キーの表示の有無に加えて、各種操作キーの表示条件を設定することができるようになっていてもよい。また、各種操作キーの表示内容はアイコンであり、各種操作キーの表示位置情報は操作表示部３０におけるアイコンの始点および終点の座標となっている。また、操作表示部３０はタッチパネルとなっている。
【００４９】
また、本実施の形態の紙幣処理装置１０においては、前述のように、各種操作キーのうち設定部３２により操作表示部３０に表示することの設定がなされた操作キーの数が少なくなるに従って、操作表示部３０における当該操作キーの一部または全部をそれぞれ表示する領域を大きくするよう、当該操作キーの表示位置情報が算出されるようになっている。
【００５０】
また、本実施の形態の紙幣処理装置１０においては、制御部４０は、記憶部３４に記憶された各種操作キーの表示条件により算出される各種操作キーの重み付けに基づいて、表示位置情報を算出するようになっていてもよい。あるいは、制御部４０は、記憶部３４に記憶された各種操作キーの表示条件により算出される各種操作キーの優先順位に基づいて、表示位置情報を算出するようになっていてもよい。あるいは、図１１に示すように、記憶部３４に、操作表示部３０で表示されるべき操作キーの数に対応して複数の配置パターンが予め記憶されており、制御部４０は、各種操作キーのうち設定部３２により操作表示部３０に表示することの設定がなされた操作キーのみについて、この操作キーの数に対応する、記憶部３４に記憶された配置パターンおよび記憶部３４に記憶された表示条件に基づいて、当該操作キーの表示位置情報を算出するようになっていてもよい。
【００５１】
なお、本実施の形態による紙幣処理装置１０は、上記の態様に限定されることはなく、様々な変更を加えることができる。例えば、制御部４０は、各種操作キーのうち設定部３２により操作表示部３０に表示することの設定がなされた操作キーの数に基づいて、操作表示部３０における紙幣の計数結果を表示する領域の位置および／または大きさを変更するようになっていてもよい。より具体的に説明すると、図４に、操作キーが合計３６個表示されている場合の操作表示部３０の標準操作画面における表示内容が示されているが、図３のＳＴＥＰ３〜ＳＴＥＰ６に示すような各種操作キーの設定モードにおいて、操作表示部３０に表示させる操作キーの数が３６個よりも少なくなるよう各種操作キーの表示の有無が設定部３２により設定された場合には、図１２に示すように、操作表示部３０の標準操作画面において紙幣の計数結果を表示する領域が大きくなるようになっていてもよい。
【００５２】
また、以上においては１つの種類の紙幣処理装置について説明したが、互いにタイプが異なる複数の、すなわち機種が異なる複数の紙幣処理装置について本発明を適用した場合について以下に説明する。本発明においては、種類の異なる紙幣処理装置について同一の操作表示部が用いられるようになっている。ここで、この操作表示部は、上述したような図１等に示す紙幣処理装置１０の操作表示部３０と同様の構成となっている。そして、各々の紙幣処理装置の記憶部には、当該紙幣処理装置において各種操作キーが用いられるか否かが操作キー毎に記憶されている。具体的には、図１３に示すように、機種Ａ〜機種Ｅからなる複数の種類の紙幣処理装置について、それぞれどの操作キーが用いられるかが予め設定されている。すなわち、例えば機種Ｂの紙幣処理装置では、矢印キーは全く用いられないようになっている。そして、記憶部には、各々の種類の紙幣処理装置において各種操作キーが用いられるか否かが操作キー毎に設定されている。そして、各々の紙幣処理装置の制御部は、各種操作キーのうち記憶部において紙幣処理装置の種類に対応して用いられるように記憶されているとともに、設定部により操作表示部に表示することの設定がなされた操作キーのみについて、記憶部に記憶された表示条件に基づいて、当該操作キーの表示位置情報を算出するようになっている。
【００５３】
上述のように、機種が異なる複数の紙幣処理装置について本発明を適用した場合には、このような複数の種類の紙幣処理装置を製造する際に操作表示部、記憶部および制御部のうち一部または全部を共通のものとすることができるので、各々の種類の紙幣処理装置に対応する操作表示部、記憶部および制御部を紙幣処理装置毎に準備する場合と比較して、製造コストを低減することができる。
【００５４】
また、本発明による紙幣処理装置は、図１等に示すような紙幣処理装置１０の構成に限定されることはなく、他の構成の紙幣処理装置を用いることができる。図１４および図１５に、本発明における他の構成の紙幣処理装置を示す。
【００５５】
図１４に示す紙幣計数装置６０は、筐体６２と、この筐体６２の内部に紙幣を１枚ずつ取り込むための紙幣取込部６４と、筐体６２の内部に設けられ、紙幣取込部６４により筐体６２の内部に取り込まれた紙幣の搬送を１枚ずつ行う搬送部（図示せず）と、を備えている。紙幣取込部６４は、操作者によって複数の紙幣が積層状態で集積されるホッパと、ホッパに集積された紙幣を筐体６２の内部に１枚ずつ繰り出す繰出機構とを有している。また、筐体６２の内部において、搬送部には識別部（図示せず）が設けられており、この識別部によって、搬送部で搬送される紙幣の金種、真偽、正損等の識別が行われるとともに紙幣の計数が行われるようになっている。また、紙幣計数装置６０には集積部６６およびリジェクト部６８が設けられている。ここで、紙幣取込部６４により筐体６２の内部に取り込まれた紙幣について、識別部により偽券であると識別された紙幣や識別部により識別することができなかった紙幣は、リジェクト紙幣として搬送部によりリジェクト部６８に搬送される。一方、紙幣取込部６４により筐体６２の内部に取り込まれた紙幣について、識別部により真券であると識別された紙幣は、搬送部により集積部６６に搬送され、この集積部６６に集積される。図１４に示すように、集積部６６やリジェクト部６８は筐体６２の外部に開口しており、操作者は集積部６６やリジェクト部６８に集積された紙幣を筐体６２の外部に取り出すことができるようになっている。
【００５６】
図１４に示すように、筐体６２の前面には例えばタッチパネル等からなる操作表示部７０が設けられており、識別部による紙幣の計数結果がこの操作表示部７０に表示されるようになっている。ここで、図１４に示す紙幣計数装置６０に設けられる操作表示部７０は、図１等に示す紙幣処理装置１０に設けられる操作表示部３０と略同一の構成となっている。すなわち、操作表示部７０には、紙幣の計数結果が表示されるとともに、各種操作キーの一部または全部が表示されるようになっている。また、図１４に示すような紙幣計数装置６０にも、図１等に示すような紙幣処理装置１０と同様に、各種操作キーの表示の有無を設定する設定部や、各種操作キーの表示の有無等を記憶する記憶部が設けられている。そして、紙幣計数装置６０の制御部は、各種操作キーのうち設定部により操作表示部７０に表示することの設定がなされた操作キーのみについて、記憶部に記憶された表示条件に基づいて、当該操作キーの表示位置情報を算出し、操作表示部７０に対して紙幣の計数結果を表示させるとともに表示することの設定がなされた操作キーをそれぞれ当該操作キーの表示位置情報に基づく表示位置および大きさで表示させるようになっている。ここで、図１４に示す紙幣計数装置６０の記憶部、設定部および制御部は、図１に示す紙幣処理装置１０の記憶部３４、設定部３２、制御部４０と略同一の構成となっている。
【００５７】
また、図１５に示す紙幣処理装置８０は、筐体８２と、この筐体８２の内部に紙幣を１枚ずつ取り込むための紙幣取込部８４と、筐体８２の内部に設けられ、紙幣取込部８４により筐体８２の内部に取り込まれた紙幣の搬送を１枚ずつ行う搬送部（図示せず）と、を備えている。紙幣取込部８４は、操作者によって複数の紙幣が積層状態で集積されるホッパと、ホッパに集積された紙幣を筐体８２の内部に１枚ずつ繰り出す繰出機構とを有している。また、筐体８２の内部において、搬送部には識別部（図示せず）が設けられており、この識別部によって、搬送部で搬送される紙幣の金種、真偽、正損等の識別が行われるとともに紙幣の計数が行われるようになっている。また、紙幣処理装置８０には、２つの集積部８６ａ、８６ｂと、１つのリジェクト部８８とが設けられている。ここで、紙幣取込部８４により筐体８２の内部に取り込まれた紙幣について、識別部により偽券であると識別された紙幣や識別部により識別することができなかった紙幣は、リジェクト紙幣として搬送部によりリジェクト部８８に搬送される。一方、紙幣取込部８４により筐体８２の内部に取り込まれた紙幣について、識別部により真券であると識別された紙幣は、搬送部により集積部８６ａ、８６ｂのうちいずれか一つの集積部に搬送され、この集積部に集積される。集積部８６ａ、８６ｂは筐体８２の外部に開口しており、操作者は集積部８６ａ、８６ｂに集積された紙幣を筐体８２の外部に取り出すことができるようになっている。また、リジェクト部８８も筐体８２の外部に開口しており、操作者はリジェクト部８８に集積されたリジェクト紙幣を筐体８２の外部に取り出すことができるようになっている。
【００５８】
図１５に示すように、筐体８２の前面には例えばタッチパネル等からなる操作表示部９０が設けられており、識別部による紙幣の計数結果がこの操作表示部９０に表示されるようになっている。ここで、図１５に示す紙幣処理装置８０に設けられる操作表示部９０は、図１等に示す紙幣処理装置１０に設けられる操作表示部３０と略同一の構成となっている。すなわち、操作表示部９０には、紙幣の計数結果が表示されるとともに、各種操作キーの一部または全部が表示されるようになっている。また、図１５に示すような紙幣処理装置８０にも、図１等に示すような紙幣処理装置１０と同様に、各種操作キーの表示の有無を設定する設定部や、各種操作キーの表示の有無等を記憶する記憶部が設けられている。そして、紙幣処理装置８０の制御部は、各種操作キーのうち設定部により操作表示部９０に表示することの設定がなされた操作キーのみについて、記憶部に記憶された表示条件に基づいて、当該操作キーの表示位置情報を算出し、操作表示部９０に対して紙幣の計数結果を表示させるとともに表示することの設定がなされた操作キーをそれぞれ当該操作キーの表示位置情報に基づく表示位置および大きさで表示させるようになっている。ここで、図１５に示す紙幣処理装置８０の記憶部、設定部および制御部は、図１に示す紙幣処理装置１０の記憶部３４、設定部３２、制御部４０と略同一の構成となっている。
【００５９】
また、本発明による貨幣処理装置は、紙幣の処理を行う紙幣処理装置に限定されることはない。本発明による貨幣処理装置として、硬貨の処理を行う硬貨処理装置を用いることもできる。本発明による貨幣処理装置として硬貨処理装置を用いた場合、操作表示部には硬貨の計数結果を表示するとともに、各種操作キーの一部または全部を表示することとなる。また、本発明による貨幣処理装置として紙幣処理装置および硬貨処理装置を組み合わせたものを用いることもできる。本発明による貨幣処理装置として紙幣処理装置および硬貨処理装置を組み合わせたものを用いた場合、操作表示部には紙幣および硬貨の各々の計数結果を表示するとともに、各種操作キーの一部または全部を表示することとなる。
【符号の説明】
【００６０】
１０  紙幣処理装置
１２  筐体
１４  紙幣取込部
１６ａ〜１６ｄ  集積部
１８ａ、１８ｂ  リジェクト部
２０  搬送部
２２  識別部
３０  操作表示部
３２  設定部
３４  記憶部
３６  インターフェース
４０  制御部
６０  紙幣計数装置
６２  筐体
６４  紙幣取込部
６６  集積部
６８  リジェクト部
７０  操作表示部
８０  紙幣処理装置
８２  筐体
８４  紙幣取込部
８６  集積部
８８  リジェクト部
９０  操作表示部
【図１】
0005389553.tif 000002
【図２】
0005389553.tif 000003
【図３】
0005389553.tif 000004
【図４】
0005389553.tif 000005
【図５】
0005389553.tif 000006
【図６】
0005389553.tif 000007
【図７】
0005389553.tif 000008
【図８】
0005389553.tif 000009
【図９】
0005389553.tif 000010
【図１０】
0005389553.tif 000011
【図１１】
0005389553.tif 000012
【図１２】
0005389553.tif 000013
【図１３】
0005389553.tif 000014
【図１４】
0005389553.tif 000015
【図１５】
0005389553.tif 000016